(57)【要約】【課題】遺体の顔に覆い被せたときに自然なドレープが得られ、立体的に見えることで美観を向上させることが可能な遺体用ベールを提供する。【解決手段】遺体用ベール１は、円形状の白色のオーガンジーによりベール本体２が形成され、このベール本体２には、外周縁部に縢り縫い３が施されていると共に、３つの桜の花を象った刺繍４が施されている。この遺体用ベール１を、遺体用ベール１の中心Ｏを遺体の鼻に合わせ、遺体用ベール１の刺繍４が遺体を上方から見たときに鼻の右下方向に位置するように置く。そうすることで、顔の中心線ＢＬと直交する方向がベール本体２の腰が弱い方向となるので、遺体用ベール１は、自重で顔の中心線ＢＬを稜線として、顔の両側の表面に沿って緩やかに垂れ下がるような自然なドレープとなる。【選択図】図２
2009034183.tif 000002
【特許請求の範囲】
【請求項１】
円形状の織物で形成された遺体用ベール。
【請求項２】
前記織物の繊維方向を示す目印が設けられた請求項１記載の遺体用ベール。
【請求項３】
前記目印は、刺繍である請求項２記載の遺体用ベール。
【請求項４】
前記織物は、半透明の素材で形成されている請求項１から３のいずれかの項に記載の遺体用ベール。
【発明の詳細な説明】
【技術分野】
【０００１】
本発明は、横たわらせた遺体の顔を覆うための遺体用ベールに関する。
【背景技術】
【０００２】
遺体を弔う際には、遺体の顔にベール（顔覆い布）が被せられる。一般的に、このベールは、正方形状または長方形状の綿素材の白布が用いられている。特許文献１，２には、単に白布で形成したものとは異なるベールが記載されている。
【０００３】
特許文献１には、正方形，長方形または前記形状の四辺の角部に丸みを有する形状、あるいは楕円形であって、オーガンジー、チュール、レース地、紗織物、薄地の和紙、不織布等の透き通った素材を用い、その周辺にレース、バイヤステープまたはよりぐけ等の装飾縁取りを行った遺体の顔の被覆ヴェールが記載されている。
【０００４】
また、特許文献２には、遺体の顔を透き通して見ることができる程度の繊維密度を有するオーガンジー、紗、チュール、不織布あるいは薄葉紙の中から選ばれたベールであって、このベールと遺体の顔との間に空間を形成するために、弾撥性のある透明フィルムを、遺体の顔の軸方向に湾曲させ、必要ならば周囲を残してくり抜き枠状とした遺体の顔を覆うベールが記載されている。
【０００５】
【特許文献１】登録実用新案第３０３９９３３号公報
【特許文献２】特開２００３−１０２６７号公報
【発明の開示】
【発明が解決しようとする課題】
【０００６】
遺体用ベールは、一般的には正方形状または長方形状の織物で形成されている。織物は、経糸と緯糸とが直交した状態で織られている。織られた長尺状の織物から正方形状または長方形状の小片の織物を形成するときには、経糸と緯糸とのそれぞれの方向に、正方形状または長方形状の各辺の方向を合わせて裁断される。つまり、織物の繊維方向に対して斜めに裁断して正方形状または長方形状の織物を形成することは、通常行われていない。
【０００７】
従って、この正方形状または長方形状の織物で形成された遺体用ベールで遺体の顔を覆うときには、額と顎とを結ぶ中心線に対して、経糸かあるいは緯糸が直交するように置かれる。このように遺体用ベールが顔に置かれると、顔の中心線に対して直交する経糸かあるいは緯糸が遺体用ベールの自重を支えるので、遺体の鼻を頂点として顔の表面に沿ってゆるやかに垂れ下がるような自然なドレープが得られず、遺体用ベールが平面的に見えてしまう。
【０００８】
特許文献１の遺体の顔の被覆ヴェールでは、正方形状、長方形状、または前記形状の四辺の角部に丸みを有する形状とする以外に、楕円形状に形成されたものについての記載があるが、楕円形状も長手方向と短手方向とがそれぞれ経糸かあるいは緯糸の方向に合うようにして裁断されると思われるので、やはり、正方形状や長方形状と同様に、自然なドレープを得ることができない。
【０００９】
特許文献２の遺体の顔を覆うベールは、透明フィルムを湾曲させることで、ベールと遺体との間の空間を確保しているため、顔の表面に沿って垂れ下がるようなベールではない。また、このベールは、透明フィルムを湾曲させるためには棺桶に突き当てる必要があるので、納棺前の状態の遺体には使用することができない。
【００１０】
そこで本発明は、遺体の顔に覆い被せたときに、自然なドレープが得られ、立体的に見えることで美観を向上させることが可能な遺体用ベールを提供することを目的とする。
【課題を解決するための手段】
【００１１】
本発明の遺体用ベールは、円形状の織物で形成されていることを特徴とする。
織物は、経糸または緯糸の繊維方向に対しては延びにくいが、この繊維方向に対して斜めとなる方向には延びやすい性質がある。これは、経糸または緯糸の繊維方向に対して伸張方向が一致しているか異なるかの違いによるものである。すなわち、経糸または緯糸の繊維方向が顔の中心線に対して直交するように遺体用ベールを遺体の顔に被せると、自重で織物が顔の中心線を稜線として垂れ下がろうとするが、顔の中心線と直交する方向が繊維方向と一致するため、織物の腰の強さで自然なドレープを得にくい。繊維方向が顔の中心線に対して斜めに交差するように遺体の顔に被せると、顔の中心線と直交する方向と繊維方向とが一致しないため、顔の中心線と直交する方向が腰の弱い方向となる。従って、本発明の遺体用ベールは、顔の中心線を稜線として、山裾のように顔の両側の表面に沿って緩やかに垂れ下がるドレープが得られる。本発明の遺体用ベールは、遺体の顔に被せる際に繊維方向と顔の中心線とが斜めに交差するように配置しても、織物が円形状に形成されているので不自然ではない。従って、安置される遺体に違和感なく本発明の遺体用ベールを使用することができる。
【００１２】
前記織物の繊維方向を示す目印が設けられていると、経糸や緯糸の繊維方向が視認できず、織物が円形状に形成されているため方向の区別ができなくても、目印を基準として織物の繊維方向を顔の中心線に対して斜めになるように本発明の遺体用ベールを確実に遺体に置くことができる。
【００１３】
前記目印が刺繍であると、織物の中心と刺繍との位置関係から経糸または緯糸の繊維方向を容易に認識することができる。また、目印を織物に付与しても刺繍であれば違和感がなく、意匠性も向上させることができる。
【００１４】
前記織物は、半透明の素材で形成されているのが望ましい。遺体の顔は血色がなくやつれ感があり、生前に近い姿とする意味でも、死に化粧（送り化粧）が施される。弔問者が、遺体用ベールを顔から取って直接遺体と対面し最後の別れをするときに、遺体に死に化粧が施された状態では、化粧品や化粧法によっては、顔の印象が平面的になったり、不自然に感じたりすることがある。織物が半透明の素材で形成されていると、本発明の遺体用ベールを顔から取ることなく遺体との対面ができるので、間接的に遺体と対面することで不自然さを緩和することができる。また、間接的な対面となることで遺体に死に化粧をしなくても支障はない。
【発明の効果】
【００１５】
本発明の遺体用ベールは、遺体の顔に被せる際に繊維方向と顔の中心線とが斜めに交差するように配置しても、織物が円形状に形成されているので不自然ではないので、安置される遺体に違和感なく本発明の遺体用ベールを使用することができる。よって、本発明の遺体用ベールは、遺体の顔に覆い被せたときに自然なドレープが得られ、立体的な状態とすることができる。
【発明を実施するための最良の形態】
【００１６】
本発明の実施の形態に係る遺体用ベールを、図面に基づいて説明する。図１は、本発明の実施の形態に係る遺体用ベールを示す図である。
図１に示す本実施の形態に係る遺体用ベール１は、遺体を弔う際に、遺体の顔に被せるものである。遺体用ベール１は、円形状の白色の織物によりベール本体２が形成されている。このベール本体２の外周縁部には、縢り縫い３が施されている。
【００１７】
このベール本体２を形成する織物は、オーガンジーにより形成されていることで、半透明である。オーガンジーは、綿、絹、レーヨン、ポリエステル、ナイロンなどの繊維を平織した織物を指し、薄く平織され、光沢があり、透けた生地である。
【００１８】
また、遺体用ベール１は、ベール本体２に３つの桜の花を象った刺繍４が施されている。
【００１９】
ここで、この刺繍４について詳細に説明する。
刺繍４は、遺体用ベール１を遺体の顔に被せる際に、ベール本体２の繊維方向を示す目印として機能するものである。刺繍４は、片面刺繍であるが、両面刺繍とすることも可能である。また、刺繍でなくパッチワークでも、ベール本体２の繊維方向を示す目印として機能するものであればシールや他のものでもよい。
【００２０】
ベール本体２を形成する織物の繊維方向Ｆ１，Ｆ２は、経糸２ａと緯糸２ｂとが直交しているので、図１に示すように十字となる。刺繍４は、ベール本体２の中心Ｏと結ぶ線Ｌの方向が、繊維方向Ｆ１，Ｆ２のいずれか一方と一致する方向に施されていればよい。本実施の形態においては、刺繍４が経糸２ａの繊維方向Ｆ１と同じ方向に施されている。
【００２１】
刺繍４のベール本体２の半径方向の位置は、適宜決定することができるが、ベール本体２全体のバランスを考慮して決定するのが望ましい。なお、本実施の形態では、刺繍４として３つの桜の花を象ったものとしているが、花は２つでもあっても、４つ以上であってもよく、桜の花でなく菊などの仏花、蝶や家紋、生前からの要望に応じたものや本人の愛用品でもよい。
【００２２】
以上のように構成された本発明の実施の形態に係る遺体用ベール１の使用状態について、図２および図３に基づいて説明する。図２は、図１に示す遺体用ベールの使用状態を説明する図である。図３は、図１に示す遺体用ベールを遺体の顔に被せた状態を示す図である。
【００２３】
まず、遺体用ベール１を準備する。そして、遺体用ベール１を横たわらせた遺体の顔に被せる。このときに、遺体用ベール１の中心Ｏを遺体の鼻に合わせ、遺体用ベール１の刺繍４が遺体を上方から見たときに鼻の右下方向に位置するように置く。
このように遺体用ベール１を遺体に配置すると、刺繍４は中心Ｏと結ぶ線Ｌの方向が経糸２ａの繊維方向Ｆ１と同じ方向に施されているので、遺体の額から顎までを結ぶ顔の中心線ＢＬに対しては、繊維方向Ｆ１，Ｆ２のいずれにも傾斜した状態で交差する。つまり、顔の中心線ＢＬと直交する方向は、繊維方向Ｆ１，Ｆ２のいずれにも一致しないため、ベール本体２の腰が弱い方向となる。
【００２４】
従って、遺体用ベール１を遺体の顔に被せたときに、図３に示すように、遺体用ベール１は、自重で顔の中心線ＢＬを稜線として、顔の両側の表面に沿って緩やかに垂れ下がるような自然なドレープとなる。
【００２５】
従来の遺体用ベールでは、正方形状や長方形状で形成され、各辺が繊維方向と一致するように形成されていたため、顔の中心線に対して繊維方向が斜めとなるような配置をすると、違和感を与えてしまう。しかし、本実施の形態に係る遺体用ベール１は、円形状に形成されているので、中心Ｏを鼻に位置させれば遺体用ベール１をどの角度に位置させても違和感はない。
【００２６】
従って、遺体用ベール１は、遺体の顔に覆い被せたときに、自然なドレープが得られ、立体的に見えることで美観を向上させることができる。
【００２７】
ところで、自分の死に顔は、弔問者には直接見られたくないものである。特に女性であればその思いは強いものと思われる。また、死に化粧は、化粧品や化粧法によっては、顔の印象が平面的になったり、不自然に感じたりすることがある。このような事情から生前に自分自身の葬儀について検討する場合には、白布により顔が覆われていることで弔問者がこの白布を取り直接拝顔することに不安を感じてしまうことがある。また、遺体は死を迎えてから細菌に対する抵抗力が低下していくので、死に化粧をするために遺体に触れることで遺族が感染症にかかってしまうおそれがある。
ベール本体２は、半透明のオーガンジーで形成されているので、最後の対面をするときに、遺体用ベール１を顔から取ることなく遺体との対面ができ、間接的な対面となることで、自分の死に顔が直接見られてしまうという不安を払拭することができる。また、弔問者にとっては、間接的に見えることで遺体の顔が安らいで見えるので、厳かに見送ることができる。
また、間接的な対面となることで遺体に対する死に化粧を省略することもできるので、遺族は死に化粧を施すことで更に増す悲しい思いを軽減することができ、感染症の予防を図ることができる。
【００２８】
以上、本発明の実施の形態について説明してきたが、本発明は前記実施の形態に限定されるものではない。例えば、本実施の形態では、遺体用ベール１のベール本体２をオーガンジーにより形成しているが、平織だけでなく、綾織や、朱子織など、織物であれば使用することができる。また、ベール本体２を白色のものを使用しているが、遺族の要望があれば肌色、桃色や青色、その他の色としてもよい。また、ベール本体２は半透明の織物で形成されているが、円形状であれば不透明な生地で形成されていてもよい。
【００２９】
また、本実施の形態では、刺繍４が鼻の右下方向に位置するように置いているが、右上や左上、左下のいずれでもよい。しかし、鼻を中心として刺繍４が右下に位置していると、遺体用ベール１全体の印象が刺繍４の位置によって安定した感じとなるので、刺繍４は右下となるように配置するのが望ましい。また、刺繍４は、右下でも、右方向から約４５°の角度に位置するように置くと更に安定した感じを得ることができる。いずれの場合においても、刺繍４がベール本体２に施されていることで、ベール本体２の中心Ｏと刺繍４との位置関係から経糸２ａあるいは緯糸２ｂの繊維方向が容易にわかるので、遺体用ベール１を誤りなく遺体の顔に被せることができる。
【産業上の利用可能性】
【００３０】
本発明は、納棺前や納棺後の遺体の顔に被せる遺体用ベールに好適である。
【図面の簡単な説明】
【００３１】
【図１】本発明の実施の形態に係る遺体用ベールを示す図である。
【図２】図１に示す遺体用ベールの使用状態を説明する図である。
【図３】図１に示す遺体用ベールを遺体の顔に被せた状態を示す図である。
【符号の説明】
【００３２】
１  遺体用ベール
２  ベール本体
２ａ  経糸
２ｂ  緯糸
３  縢り縫い
４  刺繍
ＢＬ  顔の中心線
Ｆ１，Ｆ２  繊維方向
Ｌ  線
Ｏ  中心
【図１】
2009034183.tif 000003
【図２】
2009034183.tif 000004
【図３】
2009034183.tif 000005